(57)【特許請求の範囲】
【請求項１】
枠に２つの扉を両開き可能に取付け、
この一方の扉と他方の扉とに亘って、その一方の扉の開きを人が出入りできない小範囲に規制する用心錠を取付け、
前記他方の扉に、当該扉を枠に固定する施錠状態と、その固定を解除する解錠状態とに室内側から操作される固定錠と、前記施錠状態の固定錠が解錠状態となることを阻止するロック状態と、解錠状態となることを許容するロック解除状態に室内側から操作されるロック装置を取り付け、
前記固定錠は、扉を枠に固定する施錠位置と、その固定を解除する解錠位置に移動する可動体と、この可動体を施錠位置と解錠位置に移動する操作部材を備え、
前記ロック装置は、ロック位置とロック解除位置とに亘って移動自在で、かつ弾性材によってロック位置に保持したロック部材と、このロック部材を弾性材に抗してロック解除位置に移動する操作部材を備え、
前記ロック部材がロック位置のときには、前記施錠位置の可動体が解錠位置に移動しないようにロックし、
前記ロック部材がロック解除位置のときには、前記施錠位置の可動体が解錠位置に移動可能としてロックを解除できるようにしたことを特徴とする両開きドア。
【請求項２】
前記固定錠の可動体が解錠位置の時にはロック部材が弾性材によって可動体に押しつけられ、かつ前記可動体が施錠位置に移動するとロック部材が弾性材によってロック位置に移動するようにした請求項１記載の両開きドア。
【請求項３】
前記固定錠の操作部材とロック装置の操作部材を上下方向に接近させ、その一方の操作部材を操作しようとする一方の手と他方の操作部材を操作しようとする他方の手が上下方向に干渉するようにした請求項１又は２記載の両開きドア。
【発明の詳細な説明】
【技術分野】
【０００１】
本発明は、玄関ドアなどに用いる両開きドアに関する。
【背景技術】
【０００２】
両開きドアとしては、枠に親扉と子扉を両開き可能に設け、その子扉にフランス落としと呼ばれる固定錠を取付け、この固定錠を施錠することで子扉を枠に固定できるようにし、前記親扉と子扉に亘ってドアチェーン、ドアガード、ガードロックと呼ばれる用心錠を取付け、この用心錠を施錠することで親扉の開きを小範囲に規制できるようにした両開きドアが知られている。
この両開きドアであれば、親扉を、用心錠で規制した人が出入りできない小範囲で開くことによって室内を換気することが可能である。
【０００３】
しかしながら、親扉を、用心錠で規制した小範囲で開いた場合に、子扉に取付けた固定錠が室外から見えると共に、室外から解錠され得る状態であるので、防犯上好ましくない。
すなわち、固定錠を解錠することで子扉を小範囲であるが開くことができるので、用心錠を室外から解錠することが可能となる。
【０００４】
前述のことを防止するために、特許文献１に開示された両開きドアは、固定錠の操作レバーを施錠位置でロックするロック機構を設け、このロック機構は工具を用いてロック解除する構成としている。
このようにすることで室外から素手でロック解除できないから、固定錠を室外から素手で解錠できないようにできる。
【０００５】
【特許文献１】特許第３０１５２９２号公報
【発明の開示】
【発明が解決しようとする課題】
【０００６】
前述した特許文献１に開示されたロック機構の操作部は、親扉（他方のドア体）を用心錠で規制する小範囲で開いた状態で、室外の人が見ることができるので、その室外の人が工具を持って親扉と子扉（一方のドア体）との間の隙間からロック機構のロックを解除することが可能である。
したがって、従来の両開きドアは、固定錠を室外の人が解錠することを確実に防止できないので、防犯性を確保できない。
【０００７】
本発明の目的は、一方の扉を用心錠で規制した小範囲で開いた状態で、他方の扉に取付けた固定錠を室外の人が解錠することを確実に防止でき、防犯性を確保できる両開きドアを提供することである。
【課題を解決するための手段】
【０００８】
本発明は、枠に２つの扉を両開き可能に取付け、
この一方の扉と他方の扉とに亘って、その一方の扉の開きを人が出入りできない小範囲に規制する用心錠を取付け、
前記他方の扉に、当該扉を枠に固定する施錠状態と、その固定を解除する解錠状態とに室内側から操作される固定錠と、前記施錠状態の固定錠が解錠状態となることを阻止するロック状態と、解錠状態となることを許容するロック解除状態に室内側から操作されるロック装置を取り付け、
前記固定錠は、扉を枠に固定する施錠位置と、その固定を解除する解錠位置に移動する可動体と、この可動体を施錠位置と解錠位置に移動する操作部材を備え、
前記ロック装置は、ロック位置とロック解除位置とに亘って移動自在で、かつ弾性材によってロック位置に保持したロック部材と、このロック部材を弾性材に抗してロック解除位置に移動する操作部材を備え、
前記ロック部材がロック位置のときには、前記施錠位置の可動体が解錠位置に移動しないようにロックし、
前記ロック部材がロック解除位置のときには、前記施錠位置の可動体が解錠位置に移動可能としてロックを解除できるようにしたことを特徴とする両開きドアである。
【０００９】
本発明においては、前記固定錠の可動体が解錠位置の時にはロック部材が弾性材によって可動体に押しつけられ、かつ前記可動体が施錠位置に移動するとロック部材が弾性材によってロック位置に移動するようにできる。
【００１０】
このようにすれば、固定錠の可動体を施錠位置に移動して固定錠を施錠することで、ロック装置のロック部材が弾性材でロック位置に移動する。
したがって、ロック装置を操作せずにロックできるから、操作が簡単であると共に、ロック装置の操作忘れがない。
【００１１】
本発明においては、固定錠の操作部材とロック装置のロック操作部材を上下方向に接近させ、その一方の操作部材を操作しようとする一方の手と他方の操作部材を操作しようとする他方の手が上下方向に干渉するようにできる。
【００１２】
このようにすれば、室外の人が、一方の扉と他方の扉の間の隙間から両方の手を入れて各操作部材を操作しようとした場合に、その一方の手と他方の手が干渉するので、各操作部材を同時に操作することは大変困難で、固定錠を解錠できない。
【発明の効果】
【００１３】
本発明によれば、施錠状態の固定錠を解錠状態とするには、ロック装置の操作部材を一方の手で持って操作してロック部材をロック解除位置に移動すると共に、その操作部材を一方の手で保持し続けながら固定錠の操作部材を他方の手で持って可動体を解錠位置に移動しなければならない。
【００１４】
したがって、一方の扉を用心錠で規制された小範囲開放した状態で、室外の人が固定錠を解錠するには、一方の扉の戸先端面と他方の扉の戸先端面との間の隙間から両方の手をそれぞれ入れて、ロック装置の操作部材と固定錠の操作部材を同時に操作しなければならないから、その固定錠を解錠することを確実に防止でき、防犯性を確保できる。
【発明を実施するための最良の形態】
【００１５】
図１に示すように、枠１に２つの扉２，３を両開き可能に取付けて両開きドアとしてある。
前記一方の扉２と他方の扉３とに亘って用心錠４が取付けてあり、この用心錠４を施錠することで図２に仮想線で示すように、一方の扉２の開きを人が出入りできない小範囲に規制する。
この用心錠４は、他方の扉３の室内側面３ａに取付けた突起４ａと、一方の扉２の室内側面２ａに揺動自在に取付けたガードアーム４ｂを備え、通常時にはガードアーム４ｂを図１に示すように一方の扉２の室内側面２ａに沿った姿勢とし、施錠時にはガードアーム４ｂを図２に示すように一方の扉２の室内側面２ａと直角となった室内向きの姿勢とし、その挿通孔４ｃを突起４ａに挿通する。この状態で一方の扉２を開くとガードアーム４ｂの案内孔４ｄが突起４ａに挿通して抜けなくなり、図２に仮想線で示すように一方の扉２の開きを人が出入りできない小範囲に規制するドアガードと呼ばれるものとしてあるが、用心錠４はこれに限ることはなく、ドアチェーン、ドアロックと呼ばれるものであっても良い。
つまり、用心錠４は室内から施錠、解錠操作されると共に、施錠することで一方の扉２の開きを人が出入りできない小範囲に規制し、解錠することで一方の扉２の開き規制を解除するものであれば良い。
【００１６】
前記他方の扉３の自由端部、つまり戸先端部に固定錠１０が取付けてある。この固定錠１０の操作部材は後述するように他方の扉３の戸先端面３ｂから操作可能である。
この固定錠１０を施錠すると他方の扉３を枠１に固定して開放しないようにし、解錠すると他方の扉３の枠１への固定を解除して開放できるようにする。
前記他方の扉３にはロック装置２０が取付けてある。このロック装置２０は施錠状態の固定錠１０が解錠状態となることを阻止するロック状態と、解錠状態となることを許容するロック解除状態に操作される。
そして、前述のロック装置２０の操作部材は他方の扉３の室内側面３ａに位置し、室内側から操作する構成である。
なお、図１においては固定錠１０、ロック装置２０が他方の扉３の下部に取付けてあるが、上部に取付けても良いし、下部と上部にそれぞれ取付けても良い。
【００１７】
このようであるから、図２に仮想線で示すように、一方の扉２を用心錠４で規制した小範囲で開いた状態で、室外の人が固定錠１０を解錠するには、室外の人が一方の扉２の戸先端面２ｂと他方の扉３の戸先端面３ｂとの隙間Ａから一方の手を入れてロック装置２０の操作部材を操作してロック解除状態としながら、他方の手を入れて固定錠１０の操作部材を操作して解錠することになる。
しかし、前述の隙間Ａから室外の人がロック装置２０の操作部材を見ることができないし、前述の隙間から両方の手を入れてロック装置２０をロック解除状態に操作しながら固定錠１０を解錠操作することは大変困難で、ロック装置２０の取付け位置等によっては操作部材に手が届かない場合もある。
したがって、室外の人が固定錠１０を解錠することを確実に防止でき、防犯性を確保できる。
【００１８】
次に、前記固定錠１０、ロック装置２０について詳細に説明する。
前記固定錠１０は、図３〜図５に示すように、本体１１と、この本体１１に上下一方の施錠位置と上下他方の解錠位置とに亘って上下方向に移動自在に設けられた可動体１２と、この可動体１２を上下に移動操作する操作部材１３を備え、その本体１１が他方の扉３に取付けられる。前記可動体１２が上下一方の施錠位置に移動すると枠１の錠受１４に嵌合して他方の扉３を枠１に固定し、可動体１２が上下他方の解錠位置に移動すると前述の錠受１４から抜け出して他方の扉３の固定を解放する。
前記操作部材１３は他方の扉３の戸先端面３ｂから操作可能で、室外の人が前述した一方の扉２を用心錠４で規制した小範囲で開いた時に、その戸先端面２ｂと他方の扉３の戸先端面３ｂとの間の隙間から手を入れて操作できる。
【００１９】
前記ロック装置２０は、図３〜図５に示すように、本体２１と、ロック部材２２と、操作部材２３を備え、その本体２１が他方の扉３に取付けられる。
前記ロック部材２２は、前記可動体１２と干渉して施錠位置から解錠位置に移動しないようにするロック位置と、可動体１２と離隔して前述の移動を許容するロック解除位置とに移動自在で、操作部材２３により移動操作される。
この操作部材２３は他方の扉３の室内側面３ａに位置し、前述の隙間から室外の人が見えないし、室外の人が前述の隙間から手を入れて操作しづらいようにしてある。
【００２０】
また、前述の固定錠１０の操作部材１３とロック装置２０の操作部材２３は上下方向に接近した位置に設けてあり、前述の隙間から室外の人が右手と左手を入れて両方の操作部材１３，２３を同時に操作しようとした場合に、その右手と左手がぶつかり合って相互に邪魔になるようにしてある。
このようにすることで、両方の操作部材１３，２３を室外から１人で操作することは大変困難で時間がかかり、固定錠１０を室外から解錠できない。
【００２１】
前述の実施の形態では、ロック部材２２を弾性材２４によってロック位置に向けて移動付勢してある。そして可動体１２が仮想線で示す施錠位置の時にはロック部材２２が弾性材２４で、仮想線で示すロック位置まで移動し、可動体１２が実線で示す解錠位置の時にはロック部材２２が可動体１２に弾性材２４で実線で示すように押しつけられ、その状態から可動体１２を施錠位置に移動するとロック部材２２がロック位置まで移動するようにしてある。
【００２２】
このようにすることで、解錠状態の固定錠１０を、その操作部材１３を操作するのみで施錠できると共に、固定錠１０が施錠されると、ロック装置２０のロック部材２２が弾性材２４でロック位置まで移動してロック状態となるので、その操作が簡単であると共に、ロック装置２０をロック操作し忘れることがない。
また、施錠状態の固定錠１０を解錠するには、ロック装置２０の操作部材２３を操作して施錠位置のロック部材２２をロック解除位置に移動して保持し、固定錠１０の操作部材１３を操作して可動体１２を解錠位置に移動して解錠することになる。
【００２３】
この実施の形態では固定錠１０はフランス落としで、図３〜図６に示すように、本体１１は上下方向に向かう長手方向中間部に開口部１１ａが表面と裏面に開口して有し、その長手方向一端部に第１凹部１１ｂ、長手方向他端部に第２凹部１１ｃが、本体１１の表面に開口してそれぞれ有している。
前記本体１１の長手方向両端部に取付用孔１１ｄが形成され、この取付用孔１１ｄからビスを他方の扉３に螺合して取付ける。
前記本体１１の裏面にはガイド部１５が形成されている。このガイド部１５はガイド縦面１５ａと長手方向一対のガイドピン１５ｂを備え、このガイド部１５に沿って可動体１２が上下動自在にガイドされる。
前記可動体１２は、前記ガイド部１５に沿って上下動自在にガイドされる摺動体１２ａと、この摺動体１２ａに取付けた錠杆１２ｂを備えている。
前記摺動体１２ａに摺動子１６が表裏面方向（つまり、長手方向と直交する方向）に摺動自在に設けてある。
【００２４】
前記操作部材１３は、長手方向一端寄りがピン１７で本体１１に長手方向（上下方向）に揺動自在に取付けてあり、その長手方向他端部１３ａが前述の第１凹部１１ｂ、第２凹部１１ｃに入り込んで指掛け部とする。
この操作部材１３の長手方向一端部が前記摺動子１６にピン１８で連結され、操作部材１３を上下に揺動することで摺動子１６が摺動体１２ａに沿って表裏面方向に摺動しながら、その摺動子１６とともに摺動体１２ａが上下に移動する。
例えば、操作部材１３を下方に揺動すると可動体１２が上方に移動して解錠位置となる。操作部材１３を上方に揺動すると可動体１２が下方に移動して施錠位置となる。
【００２５】
前記ロック装置２０は図５、図７に示すように、その本体２１は上下中間に孔２１ａを表裏面に貫通して有し、この孔２１ａの両側の裏面に一対の突片２１ｂを有していると共に、その突片２１ｂに長孔２１ｃが形成してあり、上下端部に取付用孔２１ｄがそれぞれ形成してある。
前記ロック部材２２と操作部材２３は一体に連続した角棒形状で、前記孔２１ａに室内外側方向に向けて移動自在に挿通してある。
前記ロック部材２２にピン２５を貫通して取付け、このピン２５を前記突片２１ｂの長孔２１ｃに挿入してある。
このピン２５と本体２１の裏面との間に弾性材２４（例えば、スプリング）を設けてある。
前記ロック部材２２は操作部材２３とともに弾性材２４で室外側に向けて移動されて前述のロック位置に保持され、操作部材２３を室内側に引張ることでロック部材２２が室内側に向けて移動して前述のロック解除位置となる。
【００２６】
前記ロック装置２０の本体２１は、そのロック部材２２が固定錠１０の可動体１２と左右方向に同一位置となるように取付けてある。
そして、可動体１２が解錠位置の時には図４に示すように、ロック部材２２は弾性材２４によって、その先端面２２ａが可動体１２の室内側面１２ｃに押しつけ保持されている。
この状態で可動体１２は、その室内側面１２ｃがロック部材２２の先端面２２ａに沿って施錠位置まで移動することができる。
前記可動体１２が施錠位置の時には、図４に仮想線で示すように、その上端面１２ｄがロック部材２２よりも下方となり、ロック部材２２は弾性材２４で図４に仮想線で示すように可動体１２の上端面１２ｄと対向する位置まで移動し、可動体１２が解錠位置に移動しようとすると上端面１２ｄがロック部材２２と干渉し、可動体１２が解錠位置まで移動できないようにする。
前述の状態から、操作部材２３を持って室内側に引張ることでロック部材２２が弾性材２４に抗して室内側に向けて移動して、可動体１２の室内側面１２ｃよりも室内寄りとなり、可動体１２が解錠位置まで移動可能となる。
【００２７】
前述の固定錠１０はフランス落としに限ることはなく、可動体を杆体とし、その杆体に摘みを設けて操作部材とし、杆体を上下に移動して前述の錠受１４に挿入、引き出しするものでも良い。
【００２８】
図５に示すように、他方の扉３の室内側面３ａには、一方の扉２の室内側面２ａに向けて張り出した突出部３ｃが形成してある。例えば、他方の扉３を形成する縦枠材３ｄを、その室内側部にアリ溝を有する突出部３ｃを有する形状とし、そのアリ溝に召合せ水密材を装着して一方の扉２の室内側面２ａに接するようにする。
このようにすれば、室外の人が一方の扉２と他方の扉３との隙間から手を入れて操作部材２３を操作しようとした場合に、前述の突出部３ｃが邪魔になって手を入れづらくなるし、場合によっては操作部材２３まで手が届かないことがあるので、より好ましい。
しかも、操作部材２３は室内側に引っ張ることでロック解除位置まで移動するので、室外の人が操作しづらい。
【００２９】
前述のように、ロック装置２０の操作部材２３を室内側に引張ることでロック部材２２がロック解除位置に移動するようにしたが、操作部材２３を回転しながら室内側に引張ること、又は回転することでロック部材２２がロック解除位置に移動するようにしても良い。
【図面の簡単な説明】
【００３０】
【図１】本発明の実施の形態を示す全体概略内観図である。
【図２】本発明の実施の形態を示す全体概略横断面図である。
【図３】他方の扉における固定錠とロック装置部分の詳細内観図である。
【図４】他方の扉における固定錠とロック装置部分の詳細側面図である。
【図５】他方の扉における固定錠とロック装置部分の詳細拡大平面図である。
【図６】固定錠の縦断面図である。
【図７】ロック装置の縦断面図である。
【符号の説明】
【００３１】
１…枠、２…一方の扉、２ａ…室内側面、２ｂ…一端面、３…他方の扉、３ａ…室内側面、３ｂ…一端面、１０…固定錠、１１…本体、１２…可動体、１３…操作部材、１４…弾性材、２０…ロック装置、２１…本体、２２…ロック部材、２３…操作部材。
【図１】
0004462625.tif 000002
【図２】
0004462625.tif 000003
【図３】
0004462625.tif 000004
【図４】
0004462625.tif 000005
【図５】
0004462625.tif 000006
【図６】
0004462625.tif 000007
【図７】
0004462625.tif 000008